(57)【要約】【課題】本発明は、交通映像音声の受信及び分析システムを提供する。【解決手段】前記交通映像音声の受信及び分析システムは、複数個の監視設備からなり、各前記監視設備はそれぞれ制御ユニットと、撮影ユニットと、保存ユニットと、分析ユニットと、からなる。撮影ユニットは制御ユニットと電気的に接続され、制御ユニットによって撮影機能を制御される。保存ユニットは制御ユニット及び撮影ユニットと電気的に接続され、撮影ユニットが撮影機能によって記録した映像を受信するとともに保存する。分析ユニットは制御ユニット及び保存ユニットと電気的に接続され、保存ユニットに保存された映像を読み取り、且つ予め設定した少なくとも一つの分析条件に基づき、前記映像に分析を行う。これにより、分析ユニットが前記映像に行う分析によって、事前予測や、事件中の判断或いは事後の交通事件の発生状況の記録が容易になる。【選択図】図１
2019507394.tif 000002
【特許請求の範囲】
【請求項１】
複数個の監視設備からなる交通映像音声の受信及び分析システムであって、
各前記監視設備はそれぞれ、一つの制御ユニットと、一つの撮影ユニットと、一つの保存ユニットと、一つの分析ユニットと、からなり、
前記撮影ユニットは、前記制御ユニットと電気的に接続され、前記制御ユニットによって撮影機能を制御され、
前記保存ユニットは、前記制御ユニット及び前記撮影ユニットと電気的に接続され、前記撮影ユニットが撮影機能によって記録した映像を受信するとともに保存し、  
前記分析ユニットは、前記制御ユニット及び前記保存ユニットと電気的に接続され、前記保存ユニットに保存された前記映像を読み取るとともに、予め設定された少なくとも一つの分析条件に基づき、前記映像の分析を行う
ことを特徴とする、交通映像音声の受信及び分析システム。
【請求項２】
前記複数個の分析条件の内、少なくとも一つの分析条件は、一つの移動物体を認識する条件である
ことを特徴とする、請求項１に記載のシステム。
【請求項３】
前記分析ユニットは、前記移動物体の認識条件に基づき一つの移動物体を認識した時、前記分析ユニットはシミュレーションの計算を行い、前記移動物体に対応するシミュレーションの移動経路を得る
ことを特徴とする、請求項２に記載のシステム。
【請求項４】
各前記監視設備は、さらに、一つの無線伝送ユニットを備え、前記制御ユニットと電気的に接続され、前記システムの任意の一台の監視設備は、前記無線伝送ユニットによって前記システムのもう一台の監視設備に情報を送信する
ことを特徴とする、請求項２に記載のシステム。
【請求項５】
各前記監視設備は、さらに、一つの無線伝送ユニットを備え、前記制御ユニットと電気的に接続され、前記システムの任意の一台の監視設備は、前記無線伝送ユニットによって前記システムのもう一台の監視設備に情報を送信する
ことを特徴とする、請求項３に記載のシステム。
【請求項６】
各前記監視設備の前記分析ユニットは、もう一台の監視設備のもう一つの映像を受信するとともに、前記監視設備の前記映像、及び前記もう一台の監視設備の前記もう一つの映像に基づき、シミュレーションの計算を行い、前記移動物体に対応した前記シミュレーションの移動経路を得る
ことを特徴とする、請求項５に記載のシステム。
【請求項７】
前記システムは、さらに、一つの集音ユニットを備え、前記制御ユニット及び前記保存ユニットと電気的に接続され、前記制御ユニットによって録音機能を制御されるとともに、録音した音声信号を前記保存ユニットに保存する
ことを特徴とする、請求項１に記載のシステム。
【請求項８】
前記システムは、さらに、一つの集音ユニットを備え、前記制御ユニット及び前記保存ユニットと電気的に接続され、被前記制御ユニットによって録音機能を制御されるとともに、録音した音声信号を前記保存ユニットに保存する
ことを特徴とする、請求項４に記載のシステム。
【請求項９】
前記複数個の分析条件中の内、少なくとも一つの分析条件は、一件の事故特徴の認識条件である
ことを特徴とする、請求項２に記載のシステム。
【請求項１０】
前記複数個の分析条件の内、少なくとも一つの分析条件は、一件の事故特徴の認識条件である
ことを特徴とする、請求項７に記載のシステム。
【請求項１１】
前記複数個の分析条件の内、少なくとも一つの分析条件は、一件の事故特徴の認識条件である
ことを特徴とする、請求項８に記載のシステム。
【請求項１２】
前記分析ユニットは、前記事故特徴の認識条件に基づき一件の事故が発生したと判断した時、前記制御ユニットに一つの事件記録信号を送信し、前記制御ユニットが、前記事件記録信号に基づき、予め定めた時間範囲内の前記複数個の映像を一つの事件記録映像として保存させる
ことを特徴とする、請求項９に記載のシステム。
【請求項１３】
前記分析ユニットは、前記事故特徴の認識条件に基づき一件の事故が発生したと判断した時、前記制御ユニットに一つの事件記録信号を送信し、前記制御ユニットが、前記事件記録信号に基づき、予め定めた時間範囲内の前記複数個の映像を一つの事件記録映像として保存させるとともに、前記予め定めた時間範囲内の前記複数個の音声信号を一つの事件記録音声として保存させる
ことを特徴とする、請求項１０に記載のシステム。
【請求項１４】
前記分析ユニットは、前記事故特徴の認識条件に基づき一件の事故が発生したと判断した時、前記制御ユニットに一つの事件記録信号を送信し、前記制御ユニットに、前記事件記録信号に基づき、予め定めた定時間範囲内の前記複数個の映像を一つの事件記録映像として保存させるとともに、前記予め定めた時間範囲内の前記複数個の音声信号を一つの事件記録音声として保存させる
ことを特徴とする、請求項１１に記載のシステム。
【請求項１５】
前記システムは、さらに、一つのサーバーを備え、ネットワークによって前記複数個の監視設備と接続させるとともに、前記複数個の監視設備が送信する情報を受信する
ことを特徴とする、請求項１２に記載のシステム。
【請求項１６】
前記システムは、さらに一つのサーバーを備え、ネットワークによって前記複数個の監視設備と接続させるとともに、前記複数個の監視設備が送信する情報を受信する
ことを特徴とする、請求項１３に記載のシステム。
【請求項１７】
前記システムは、さらに、一つのサーバーを備え、ネットワークによって前記複数個の監視設備と接続されるとともに、前記複数個の監視設備が送信する情報を受信する
ことを特徴とする、請求項１４に記載のシステム。
【請求項１８】
前記システムは、さらに、一つの火災探知機を備え、前記制御ユニットと電気的に接続されるとともに、前記火災探知機が火災発生を探知した時、前記制御ユニットに警報信号を発し、ネットワークによって、前記制御ユニットに、前記サーバーに通報信号を発信させる
ことを特徴とする、請求項１５に記載のシステム。
【請求項１９】
前記システムは、さらに、一つの火災探知機を備え、前記制御ユニットと電気的に接続されるとともに、前記火災探知機が火災発生を探知した時、前記制御ユニットに警報信号を発し、ネットワークによって、前記制御ユニットに、前記サーバーに通報信号を発信させる
ことを特徴とする、請求項１６に記載のシステム。
【請求項２０】
前記システムは、さらに、一つの火災探知機を備え、前記制御ユニットと電気的に接続されるとともに、前記火災探知機が火災発生を探知した時、前記制御ユニットに警報信号を発し、ネットワークによって、前記制御ユニットに、前記サーバーに通報信号を発信させる
ことを特徴とする、請求項１７に記載のシステム。
【発明の詳細な説明】
【技術分野】
【０００１】
本発明は、交通映像音声の受信及び分析システムに関し、特にリモート識別探知器（例えば赤外線、ソナー、レーザーレーダー、磁場、電波障害探知器）及びライトフィールドのデータを録取する撮影器によって、映像（ｖｉｄｅｏ）、深度データ（ｄｅｐｔｈ  ｄａｔａ）、音場（ｓｏｕｎｄ  ｆｉｅｌｄ）、磁場（ｍａｇｎｅｔｉｃ  ｆｉｅｌｄ）、電磁妨害フィールド（ＥＭＩ  ｆｉｅｌｄ）及びライトフィールド（ｌｉｇｈｔ  ｆｉｅｌｄ）の撮影を行う機能を持つシステムに関する。
【背景技術】
【０００２】
近代の工商業社会の次第なる発展に伴って、人々の交通手段に対する必要及び依存度は日を追うごとに高まっている。これほど高度に交通手段に依存している現代社会の中で、交通安全は依然として人々の生活において無視できない重要な一部分である。よく見られる危険な運転は、以下のような運転方法が含まれる。例えば、制限速度内で走行しない車両（スピードオーバー及び極端な低速）、勝手に車線変更すること、二重白線を越えること、前方車両と安全な距離を保たないことなどである。このような危険な運転行為は、自分と他人の安全を脅かすだけでなく、生死を分ける重大な交通事故を引き起こしかねない。それゆえに、交通事故の発生を予防するため、各運転者は交通法規を遵守するだけでなく、さらに、いつも道路の状況に注意している必要がある。
【０００３】
効果的に交通状況を把握し、且つ事故発生後、十分に事件の原因及び責任の帰属を明らかにできるように、交通状況の分析及び通報システムは、撮影設備によって交通現場の映像を録取し、さらに前記映像の分析を行い、現場の状況を元に戻し、事故の原因を明らかにする。
【０００４】
映像認識技術は、すでにこれらの交通状況の分析及び通報システムで広く使用されており、現在、単一の撮影設備の映像データに映像認識（例えば、ナンバープレート認識、車の流れ検知、人の顔検知／認識、位置検知、人の追跡、移動方向の検知、電子フェンス、遺留物、撮影設備カバー、人の顔検知等）が多く用いられており、認識ができてから、映像特徴（例えば、ナンバープレート番号、車両の色、車両の種類、車両メーカーの型番、大きい／小さい／バイクの数、物体の位置、物体のサイズ、方向等）の情報を保存及び表示する。また異なる特徴の認識結果を更に総合的な分析に利用しなければ、多くの計算のリソースが無駄になってしまうことに他ならない。
【０００５】
さらに、従来の交通状況分析及び通報システムは、道路の現場に基本的な撮影設備がないだけでなく、前記複数個の撮影設備をネットワーク及び遠隔サーバーと接続させることによって、従来の交通状況分析及び通報システムが前述の映像認識等の計算を行おうとするとき時、すべての分析計算機能は遠隔サーバーに送信してから行われなければならなく、情報が返ってくるのが、非常に遅く、現場の状況に即時に反応することができず、理想とは程遠い。
【０００６】
以上の説明から分かるように、従来の交通状況分析及び通報システムは、特性の異なる認識結果に対して更に総合的な分析利用ができず、且つすべての分析計算は、遠隔サーバーに送信してから行われなければならず、情報が返ってくるのが、非常に遅いため、如何にして、最もタイムリーな情報を直接得られて、且つ詳細で精密な分析作業ができ、設置の全体的なコストをも考慮した交通映像音声の受信及び分析システムを設計して提供することが、発明者がここで解決したいと考えた最も重要な課題である。
【発明の概要】
【発明が解決しようとする課題】
【０００７】
従来の交通状況分析及び通報システムの多くの欠点に鑑みて、発明者はこの業界に長年携わった経験に基づき、幾多の研究及び調整を経て、ついに本発明の交通映像音声の受信及び分析システムを開発設計することに至ったのであり、本発明によって従来の交通状況分析及び通報システムの多くの欠点を一挙に改善することを目的とする。
【課題を解決するための手段】
【０００８】
本発明の主要な目的は、交通映像音声の受信及び分析システムを提供することであり、前記交通映像音声の受信及び分析システムは、複数個の監視設備からなり、各前記監視設備はそれぞれ、一つの制御ユニットと、一つの撮影ユニットと、一つの保存ユニットと、一つの分析ユニットと、からなる。その内、前記撮影ユニットは、前記制御ユニットと電気的に接続され、前記制御ユニットによって撮影機能が制御される。前記保存ユニットは、前記制御ユニット及び前記撮影ユニットと電気的に接続され、前記撮影ユニットが撮影機能によって記録した映像を受信するとともに保存する。前記分析ユニットは、前記制御ユニット及び前記保存ユニットと電気的に接続され、前記保存ユニットに保存された前記映像を読み取るとともに、予め設定された少なくとも一つの分析条件に基づき、前記映像の分析を行う。このようにして、各前記監視設備は前記分析ユニットが前記映像に行った分析によって、事件を事前に予測することができ、事件発生中の判断或いは事件後に交通事件の発生状況を記録することが可能になる。
【０００９】
本発明において、前記複数個の分析条件の内、少なくとも一つの分析条件は一つの移動物体を認識する条件であり、前記分析ユニットが前記移動物体の認識条件に基づき一つの移動物体を認識した時、前記分析ユニットはシミュレーションの計算を行い、前記移動物体に対応するシミュレーションの移動経路が得られる。このようにして、前記分析ユニットが行った前記シミュレーションの計算によって、各種交通手段さらには歩行者が移動する過程の中で、予めその移動する可能性のある経路を計算し、且つ更に事前に交通状況を予測する評価基礎とすることを、もう一つの目的とする。
【００１０】
本発明の各前記監視設備は、さらに、一つの無線伝送ユニットを備え、前記無線伝送ユニットは前記制御ユニットと電気的に接続され、前記システムの任意の一台の監視設備は、前記無線伝送ユニットによって前記システムのもう一台の監視設備に情報を送信することが可能である。このようにして、各前記監視設備は互いに情報を共有する方式によって、異なる角度で撮影された映像が得られるとともに、総合分析を行い、各種分析の精確性及び信頼性を高めることを、さらに別の目的とする。
【００１１】
本発明の各前記監視設備の前記分析ユニットは、もう一台の監視設備のもう一つの映像を受信することが可能であり、また、前記監視設備の前記映像、及び前記もう一台の監視設備の前記もう一つの映像に基づき、シミュレーションの計算を行い、前記移動物体に対応する前記シミュレーションの移動経路を得る。このようにして、異なる角度で得られた映像を総合分析することによって、前記シミュレーションの移動経路の予測結果を更に精確にすることを、さらに別の目的とする。
【００１２】
本発明の前記システムは、さらに、一つの集音ユニットを備え、前記集音ユニットは、前記制御ユニット及び前記保存ユニットと電気的に接続され、前記制御ユニットによって録音機能が制御されるとともに、録音した一つの音声信号を前記保存ユニットに保存することによって、映像以外にも、前記音声信号に関係する分析条件が加わることで、さらに事件発生直後の分析判断の精確性を高めることを、さらに別の目的とする。
【００１３】
本発明の前記複数個の分析条件の内、少なくとも一つの分析条件は、一件の事故の特徴の認識条件であり、前記分析ユニットが前記事故特徴の認識条件に基づき一件の事故が発生したと判断した時、前記制御ユニットに一つの事件記録信号を送信し、前記制御ユニットに、前記事件記録信号に基づき、予め定めた時間範囲内の前記複数個の映像を一つの事件記録映像として保存させるとともに、前記予め定めた時間範囲内の前記複数個の音声信号を一つの事件記録音声として保存させることによって、事件発生前後の音声及び映像を前記事件記録音声及び前記事件記録映像として保存し、事件後責任の帰属を明らかにするのを容易にすることを、さらに別の目的とする。
【００１４】
本発明の前記システムは、さらに、一つのサーバーを備え、前記サーバーは、ネットワークによって前記複数個の監視設備と接続され、前記複数個の監視設備が送信した情報を受信することによって、前記事件記録音声及び前記事件記録映像を前記サーバーに送信することができるだけでなく、前記サーバーが前記事件記録音声及び前記事件記録映像を長期保存でき、さらに、前記サーバーに設けられたハードディスクによって、更に複雑で、各前記監視設備が本来は行うことができなかった分析計算を行うことを可能にすることを、さらに別の目的とする。
【００１５】
本発明の前記システムは、さらに、一つの火災探知機を備え、前記火災探知機は前記制御ユニットと電気的に接続され、前記火災探知機が火災の発生を検知した時、前記制御ユニットに一つの警報信号を発することができ、前記制御ユニットに、ネットワークによって前記サーバーに通報信号を発信させることによって、前記システムは、一般的な交通事件の予測、通報及び記録に用いられるだけでなく、さらに一歩進んで、火災警報等の機能をも提供することが可能であり、付加価値を大いに向上させることを、さらに別の目的とする。
【００１６】
ここで補足しておきたいのは、本発明の交通映像音声の受信及び分析システムは、更に全面的かつ、普及した設置ができるため、更に完全に整った交通安全ネットワークを構築できる。本発明は、さらに、前記交通映像音声の受信及び分析システムを街灯設備及び街灯ポールに設置することによって、街灯設備の普及性のゆえに、余分な費用を費やす必要がなく、或いは余分な空間を占領することがなく、迅速に本発明の交通映像音声の受信及び分析システムを設置することができ、現代のインフラ拡張時に直面する経費及び空間利用の問題を効果的に解決することを、さらに別の目的とする。
【００１７】
本発明の目的、技術の特徴、及びその効果について、さらに一歩進んで理解できるように、ここでは図を参照しながら実施例を挙げ、詳細な説明を行う。
【図面の簡単な説明】
【００１８】
【図１】本発明の好ましい実施例のシステム構造図である。
【図２】本発明の監視設備を交差点の信号機に使用した状態を示す概略図である。
【発明を実施するための形態】
【００１９】
以下では、本発明実施例内の図を参照しつつ、本発明実施例における技術考案についてはっきり、且つ完全な説明を行う。説明される実施例は、本発明の一部分の実施例に過ぎず、すべての実施例ではないということは明らかである。本発明内の実施例に基づき、本領域の一般的な技術者が、創作でない前提の下で得たその他すべての実施例も、すべて本発明の保護範囲に含まれるものとする。
【００２０】
本発明の交通映像音声の受信及び分析システム１について、図１及び図２を参照する。本発明の交通映像音声の受信及び分析システム１は、複数個の監視設備１１からなり、各前記監視設備１１はそれぞれ、一つの制御ユニット１１１（例えば中央処理装置、Ｃｅｎｔｒａｌ  Ｐｒｏｃｅｓｓｉｎｇ  Ｕｎｉｔ、ＣＰＵともいう）と、一つの撮影ユニット１１２と、一つの保存ユニット１１３（例えば記憶装置或いはハードディスク）と、一つの分析ユニット１１４と、一つの集音ユニット１１６と、からなる。本発明の実施例の一つにおいて、各前記監視設備１１をそれぞれ信号機２に設置することができる。本発明は決してこれに限られるわけではなく、本発明のその他の好ましい実施例において、更に全面的に、至る所に本発明の交通映像音声の受信及び分析システム１を設置し、更に完全な交通安全ネットワークを形成するために、また、各前記監視設備１１を、街灯設備に設置することができる。これにより、街灯設備が普及しているために、余分な費用を費やす、或いは余分な空間を占領する必要がなく、迅速に本発明の交通映像音声の受信及び分析システム１を設置することができ、現代のインフラ拡張時に直面する経費及び空間利用の問題を効果的に解決することができる。
【００２１】
上記のように、本発明の好ましい実施例において、前記撮影ユニット１１２及び前記集音ユニット１１６は、いずれも前記制御ユニット１１１と電気的に接続され、前記制御ユニット１１１が制御されることによって撮影機能或いは録音機能を達成することができる。前記保存ユニット１１３は、前記制御ユニット１１１、及び前記撮影ユニット１１２、及び前記集音ユニット１１６と、電気的に接続され、前記撮影ユニット１１２が撮影機能によって記録した映像を受信及び保存する、及び／または、前記集音ユニット１１６が録音した音声信号を受信及び保存する。前記分析ユニット１１４は、前記制御ユニット１１１、及び前記保存ユニット１１３と、電気的に接続され、前記保存ユニット１１３に保存された前記映像を読み取る、及び／または、前記保存ユニット１１３に保存された前記音声信号を読み取る。
【００２２】
再び図１及び図２を参照する。前記分析ユニット１１４は予め設定した少なくとも一つの分析条件に基づいて、前記映像に分析を行うことが可能である。例えば、本発明の好ましい実施例において、前記複数個の分析条件の内の少なくとも一つの分析条件が、一つの移動物体が識別条件なら、前記分析ユニット１１４が、前記移動物体の識別条件に基づき一つの移動物体３（例えば歩行者、車両、さらにはドローン）を識別した時、前記分析ユニット１１４はシミュレーションの計算を行い、前記移動物体３に対応する一つのシミュレーションの移動経路を得る。これによって、前記分析ユニット１１４が行う前記シミュレーションの計算によって、各種交通手段、さらに歩行者が移動する過程において、予めその移動する可能性のある経路を計算しやすくすることができ、且つ更に一歩進んで交通状況を事前に予測できる評価基準とすることができる。例を挙げるならば、もし特定の車両が非常な速度で走行し、且つ予測したシミュレーションの経路上にその他の物体が存在する場合、潜在的な危険があると判断されるかもしれない。あるいは、識別した前記移動物体３が一台のドローン（Ｄｒｏｎｅ、またはＵｎｍａｎｎｅｄ  Ａｅｒｉａｌ  Ｖｅｈｉｃｌｅ、簡単にＵＡＶとも呼ばれる）である場合、その進行する方向を判断すると、逐次最寄りの航空管制区（例えば空港周辺または重要な政府機関の所在地等）に、予め警告を知らせることが可能であり、前記ドローンの操作者に、前記ドローンの航路を変えるように通知することが可能である。本発明を実施する時は、以上に例示した使用方式に限られず、技術領域に属する技術者が思いつくような変化も、すべて本発明の保護範疇に含まれるということは、上記からも明らかである。
【００２３】
交通事故の主な特徴は、集音の音量が突然大きくなったり、明らかに認識可能な衝突音を記録したり、車の流れが急に遅くなる或いは止まったり、二つ以上の移動物体３が交錯した事故や、渋滞時間外或いは信号で停車している時以外に道路上に遺留物が見つかった場合（車両がぶつかってから道路上に停車している場合）や、事故発生後の渋滞や、事故が発生後車の流れで車道が変わることや、物体の加速度が突然に速くなる（車両或いは人が突き飛ばされる）等の特長がある。再び図１及び図２を参照する。以上の特徴は、前記撮影ユニット１１２及び前記集音ユニット１１６によって得られ、また前記分析ユニット１１４によって分析が行われる。簡単に言うと、本発明はシミュレーションの移動経路の計算に応用できるだけでなく、事故分析にも用いることが可能である。更に具体的に言うと、本発明のその他の応用例の内、前記複数個の分析条件の内、少なくとも一つの分析条件は、一つの事故特徴認識条件（上記の衝突音、交錯事故或いは遺留物等のような特徴は、認識される特徴が多ければ多いほど、交通事故が発生したと判定できる確率がさらに高くなる）である。前記分析ユニット１１４が前記事故の特徴認識条件に基づき、一件の事故が発生したと判断した時、前記制御ユニット１１１に一つの事件記録信号を発信し、前記制御ユニット１１１は、前記事件記録信号に基づき、予め定められた時間の範囲内の前記複数個の映像を一件の事件記録の映像として保存させ、さらに、前記予め定められた時間範囲内の前記複数個の音信号を一件の事件として音声を記録し保存させる。
【００２４】
上記を受けて、一般的に言うと、このような連続記録の監視システムは、得られたすべての映像、及び／または、音声信号を長期にわたって保存することはなく、後から得られた映像、及び／または、音声信号が継続的にかぶさり、元々保存されていた内容に取って代わる。本発明は、上記の前記事件記録信号によって、事故が発生した疑いがある場合、予め定めた一定の時間範囲内（例えば、自ら事故が発生したと判断した時間点から、前３分間、後７分間を計測する等できるが、これに限られるわけではない）の前記複数個の映像と、音声信号をそれぞれ一件の事件として記録映像や、事件記録音声を保存する。これにより、保存したものに、常態且つ連続的に得られた後からの記録がかぶさり、取って代わられることがない。これにより、事件が発生する前後の音声及び映像を前記事件記録音声及び前記事件記録映像として保存することが可能であり、事件後に事件の責任を明らかにするのに都合が良い。
【００２５】
再び図１を参照する。本発明の好ましい実施例において、各前記監視設備１１は、さらに、一つの無線伝送ユニット１１５を備える。前記無線伝送ユニット１１５は、前記制御ユニット１１１と電気的に接続され、前記システム１の任意の一台の監視設備１１は、前記制御ユニット１１１の制御の下、前記無線伝送ユニット１１５によって前記システム１のもう一つの監視設備１１に情報を送信することが可能である。詳しく言うと、各前記監視設備１１の各前記前記分析ユニット１１４は、保存ユニット１１３からの映像及び音声信号を読み取り保存できるだけでなく、更に互いに情報を共有する方式によって、異なる角度、距離の映像及び音声信号が得られ、総合分析が行え、各種分析の精度及び信頼性を向上させることができる。特記しておきたいのは、上記の総合分析はリアルタイムビデオスティッチング（Ｒｅａｌ  ｔｉｍｅ  ｖｉｄｅｏ  ｓｔｉｔｃｈｉｎｇ）等の技術によって達成することができ、リアルタイムビデオスティッチングは、３Ｄ深度データ、３Ｄ映像、２Ｄ映像、レーダー及びその他のセンサーを使用する必要がある。具体的に言うと、本発明の好ましい実施例において、各前記監視設備１１は、各前記無線伝送ユニット１１５と共有して得られた映像によって、さらにリアルタイムビデオスティッチング技術によって、各撮影ユニット１１２が録取した異なる角度、位置の映像を、即座につぎ合わせ、一つのフルサイズ（例えば１８０度をカバーした視角）の映像或いは特定の角度の映像を作り上げる。実際の使用において、これらの技術を用いることには多くのメリットがある。例えば、一部の都市は、ドローンに対して比較的厳しい管制規制範囲を設定しているため、その規制範囲の内容は、ドローンの操縦者がドローンを操縦している時、前記ドローンがその視界の範囲内にあるようにすることを要求するものであるかもしれない。本発明の技術がこのような地区で使用される時、ドローンの操縦者は各前記無線伝送ユニット１１５によって、シミュレーション後の映像を得ることができ、随時視覚によって前記ドローンの飛行状況を知ることができる。
【００２６】
さらに、上記のように、本発明の前記分析ユニット１１４が、シミュレーションの計算を行うことによって、移動物体３に対応するシミュレーションの移動経路が得られる。本発明の好ましい実施例において、各前記監視設備１１は、各前記無線伝送ユニット１１５によって互いに情報を共有することができるため、前記分析ユニット１１４が前記シミュレーションの計算を行っている時、もう一台の監視設備１１のもう一つの映像を受信することができるとともに、前記監視設備１１の前記映像、及び前記もう一台の監視設備１１の前記もう一つの映像に基づき、シミュレーションの計算を行うことができ、前記移動物体３に対応する前記シミュレーションの移動経路を得ることが可能である。これによって、異なる角度で得られた映像を総合分析（例えば前記のリアルタイムビデオスティッチング）をすることによって、前記シミュレーションの移動経路の予測結果を更に精確にすることが可能である。
【００２７】
再び図１を参照する。本発明の好ましい実施例において、前記システム１は、さらに、一つのサーバー１２を備える。前記サーバー１２は、ネットワークによって前記複数個の監視設備１１と互いに接続され、前記複数個の監視設備１１が発する情報を受信することができる。これによって、前記事件記録音声及び前記事件記録映像を、前記サーバー１２に送信し、前記サーバー１２によって前記事件記録音声及び前記事件記録映像を長期保存できるだけでなく、さらに前記事件記録音声及び前記事件記録映像を前記サーバー１２に保存した後、前記保存ユニット１１３内の保存空間を開けることができ、引き続き使用することが可能である。更に言うと、本発明の各前記監視設備１１そのものは基本的な分析計算ができるが、コストを考慮すると、各前記監視設備１１に複雑な計算を処理できるだけの設備を設置することを期待するのは難しいため、本発明は、前記事件記録音声及び前記事件記録映像を前記サーバー１２に送信することによって、また前記サーバー１２に一律に設置したハイエンドのソフトウェア、ハードウェアによって、更に複雑な、各前記監視設備１１では本来できない分析計算をすることが可能である。これによって、良好な分業効果が期待できる。つまり、各前記監視設備１１間で、各前記無線伝送ユニット１１５を利用して互いに情報を共有するとともに、基本的な計算を行い、最もタイムリーで、じかに得られた情報を提供することが可能である。さらに、もっと詳細で、精密な分析や、データの長期保存を行いたい場合、関係する情報を前記サーバー１２に送信して行う。この方法によって、すべての分析をリモートターミナルに送信して分析を行わなければならず、情報が返ってくるとき、遅延するという、従来の方法における欠点を効果的に防止することが可能であり、その外にも精密計算を行うことができ、更に同時に設置の全体的なコストをも考慮したものである。
【００２８】
加えて、再び図１を参照する。更に前記システム１の安全通報を完全なものにするため、本発明の好ましい実施例において、前記システム１は、さらに、一つの火災探知機１１７（Ｆｌａｍｅ  ｄｅｔｅｃｔｏｒ）を備える。一般的に言うと、燃焼材質が異なることや、温度環境等の条件に基づき、火炎は異なる波長のスペクトルを放出するため、火災探知機１１７もまた対応して各種タイプが設計されており、例えば、近い赤外線を探知する探知器（ｎｆｒａ−ｒｅｄ  （ＩＲ）  ｂａｓｅｄ  ｆｌａｍｅ  ｄｅｔｅｃｔｏｒｓ）、紫外線を探知する探知器（ｕｌｔｒａ−ｖｉｏｌｅｔ  （ＵＶ）  ｂａｓｅｄ  ｆｌａｍｅ  ｄｅｔｅｃｔｏｒｓ）或いは二つを当時に用いる、さらにはデュアルバンドの紫外線炎探知器（ｄｕａｌ  ｂａｎｄ  ｉｎｆｒａｒｅｄ  ｆｌａｍｅ  ｄｅｔｅｃｔｏｒ）またはトリバンド赤外線炎探知器（ｔｒｉ−ｂａｎｄ  ｉｎｆｒａｒｅｄ  ｆｌａｍｅ  ｄｅｔｅｃｔｏｒ）等の各種タイプがある。以上列挙したものは、前記複数個の各種タイプの探知器を示したにすぎず、すべて本発明の火災探知機１１７として用いることができるが、本発明の火災探知機１１７は以上に列挙したものだけに限られるわけではなく、前記の技術に熟練した技術者は、本発明が示した技術内容に基づき、その他のタイプの探知器を採用して行う同じような変更もすべて本発明の言う「火災探知機１１７」の保護範疇に含まれることは言うまでもない。
【００２９】
上記のように、前記火災探知機１１７は前記制御ユニット１１１と電気的に接続され、前記火災探知機１１７が火災の発生を探知した時、前記制御ユニット１１１に警報信号を発することができ、それから前記制御ユニット１１１に、ネットワーク（例えば、無線伝送ユニット１１５）によって前記サーバー１２に通報信号を送信させることができる。詳しく言うと、もし交通事故によって火災（例えば車両発火燃焼）が引き起こされた場合、この時前記システム１は通報を行うことは、言うまでもない。前記と同様に、本発明の各前記監視設備１１は、また街路灯等の設備に広く装着することが可能であるため、設備が普及している地区において、地区の火災予防警報或いは通報システムの一環とすることができる。このように、前記システム１は一般的な交通事件の予測に用いられるだけでなく、通報及び記録にも用いられ、さらに火災警報等の機能をも提供することが可能であり、その付加価値を大いに向上させる。
【００３０】
以上に述べたことは、本発明の好ましい実施例に過ぎず、本発明が主張する権利範囲は、決してこれに限られるわけではなく、本領域の技術者は、本発明が示す技術内容に基づき、思いつくような変更も、すべて本発明の保護範疇に含まれる。
【符号の説明】
【００３１】
１    システム
１１    監視設備
１１１    制御ユニット
１１２    撮影ユニット
１１３    保存ユニット
１１４    分析ユニット
１１５    無線伝送ユニット
１１６    集音ユニット
１１７    火災探知機
１２    サーバー
２    信号機
３    移動物体
【図１】
2019507394.tif 000003
【図２】
2019507394.tif 000004
【国際調査報告】
2019507394.tif 000005
2019507394.tif 000006
2019507394.tif 000007
2019507394.tif 000008